(57)【特許請求の範囲】
【請求項１】
一方のブスバーと他方のブスバーとをそれぞれ装着させるブスバー装着部と、一方のヒューズ端子部に一方のブスバーの端子部が接続され且つ他方のヒューズ端子部に中間ブスバーの一側縁側の端子部が接続されたヒューズを装着させるヒューズ装着部と、他方のブスバーの端子部と中間ブスバーの他側縁側の端子部とを絶縁壁を挟んでその両側に配置した端子保持部材をその内部に有し且つこの端子保持部材の外周囲を取り囲む隔壁で形成されたプラグ装着部と、ヒューズを介して一方のブスバーと他方のブスバーとが導通される導通状態又は導通されない非導通状態とを検出する導通検出手段を装着させる導通検出手段装着部とを有した装置本体と、
前記プラグ装着部に着脱自在に装着され、前記端子保持部材を跨ぐように装着されて前記他方のブスバーの端子部に接触し且つ前記中間ブスバーの他側縁側の端子部に接触して前記一方のブスバーと前記他方のブスバーとを導通させる端子部材を有したプラグハウジングと、このプラグハウジングに対してほぼ垂直状態とぼぼ水平状態とに傾倒自在に設けられた傾倒レバーとからなるサービスプラグとを備えており、
前記サービスプラグの傾倒レバーをほぼ垂直に保った状態で前記プラグ装着部に前記プラグハウジングを装着させて前記傾倒レバーをほぼ水平に倒したときに、前記傾倒レバーに設けられた突起が前記導通検出手段の可動レバーを倒して前記一方のブスバーと前記他方のブスバーとの導通状態を前記導通検出手段に検知させるように構成してある
ことを特徴とする電源遮断装置。
【請求項２】
前記端子保持部材に前記端子部材を装着させる拾い用斜面が形成されていることを特徴とする請求項１記載の電源遮断装置。
【請求項３】
前記プラグハウジングが前記端子保持部材の先端面に接触しない不完全装着状態で前記傾倒レバーを水平方向に倒したときに、前記傾倒レバーが前記プラグ装着部の前記隔壁内面に当接して前記傾倒レバーの水平方向への傾倒を防止する突起を前記プラグハウジングに設けたことを特徴とする請求項１又は２記載の電源遮断装置。
【請求項４】
前記ヒューズ及び前記導通検出手段を覆って前記装置本体に絶縁カバーを設け、この絶縁カバーを前記プラグハウジングに設けたカバー押さえ部によって押さえてなることを特徴とする請求項１〜３の何れかに記載される電源遮断装置。
【請求項５】
前記導通検出手段がマイクロスイッチであることを特徴とする請求項１〜４の何れかに記載される電源遮断装置。
【発明の詳細な説明】
【０００１】
【発明の属する技術分野】
本発明は、電源と負荷との間を電気的に遮断するための電源遮断装置に関し、詳細には、嵌合検知性の向上が図れると共に、部品点数が少なく小型で省スペース化が図れしかも低コスト化を実現した電源遮断装置を提供することにある。
【０００２】
【従来の技術】
例えば、電気自動車においては、バッテリーである電源の容量が通常のガソリンエンジン車等に比べて大容量であるため、電気系統等をメンテナンスするような場合には、作業安全性を確保するための電源遮断装置が取り付けられている。
【０００３】
かかる電源遮断装置としては、例えば特開平９−２６５８７４号公報に開示されたものが知られており、この電源遮断装置は、図１５及び図１６に示すように、遮断装置本体５０１と、この遮断装置本体５０１に対して着脱自在とされるサービスプラグ５０２とから構成されている。
【０００４】
上記遮断装置本体５０１は、図１５に示すように、下ケーシング５０３とこの下ケーシング５０３の上端部に被着される上ケーシング５０４とを有し、その下ケーシング５０３内に、一対の固定電極５０５、５０６、ヒューズ５０７、一方の固定電極５０５に接続される電源側電線５０８の端子金具５０９、ヒューズ５０７の一方の端子部５１０と接続される負荷側電線５１１の端子金具５１２及びヒューズ５０７の他方の端子部５１３と他方の固定電極５０６を接続するバスバー５１４とを収容している。
【０００５】
一対の上記固定電極５０５、５０６は、図１５に示すように、下ケーシング５０３に所定間隔を置いて埋設されるようにしてインサート成形された雌ねじ部材５１５、５１５に螺合されて垂直に立設されている。上ケーシング５０３には、上記各固定電極５０５、５０６に対応した位置に、これらの先端を外方に臨ませるための円形孔部５１６、５１６が形成されている。
【０００６】
上記サービスプラグ５０２は、図１５及び図１６に示すように、上記円形孔部５１６、５１６を介して一対の固定電極５０５、５０６にそれぞれ嵌着される一対のルーバ端子５１７、５１７を有した可動電極５１８と、この可動電極５１８を取り付けるハンドル取付体５１９と、このハンドル取付体５１９に対して回動支持軸５２０を中心として揺動自在に支持されるハンドル５２１と、このハンドル５２１とハンドル取付体５１９との間に設けられ、該ハンドル５２１を垂直に起立させた状態と水平に横たえた状態とにそれぞれトグル作用で位置保持させるばね部材５２２と、ハンドル５２１が水平に傾倒されて上ケーシング５０４上に設けられたリードスイッチ５２３と対向する該ハンドル５２１に設けられたマグネット５２４、５２４とからなる。
【０００７】
上記のように構成された電源遮断装置においては、上記サービスプラグ５０２を、図１５に示すように、ハンドル５２１を垂直に起立させた状態で一対のルーバ端子５１７、５１７を、上ケーシング５０４に形成されたそれぞれの円形孔部５１６、５１６を介してその内部に挿入させてそれぞれの固定電極５０５、５０６に嵌着させることで、ヒューズ５０７を直列させた形態で電源側電線５０８の端子金具５０９と負荷側電線５１１の端子金具５１２とが導通する。
【０００８】
そして、上記ハンドル５２１を図１６に示すように水平に傾倒させる。これにより、リードスイッチ５２３とハンドル５１２に設けられたマグネット５２４が対向配置されて、上記電源側電線５０８の端子金具５０９と負荷側電線５１１の端子金具５１２との導通状態が検出され、その検出結果がコンピュータに伝達される。
【０００９】
このように構成された電源遮断装置によれば、サービスプラグ５０２を遮断装置本体５０１に対して着脱自在とすることで、簡単に電源側電線５０８の端子金具５０９と負荷側電線５１１の端子金具５１２との導通又は非導通をとることができ、例えば電気自動車において電気系統等をメンテナンスするに際しての作業安全性を確保することができる。
【００１０】
【発明が解決しようとする課題】
しかし、上記構成の電源遮断装置では、遮断装置本体５０１及びサービスプラグ５０２を構成する部品点数が多く、装置自体も大型化し、取り付けスペースを充分に確保しなければならない。特に、サービスプラグ５０２の構造が複雑でコストの面で不利である。
【００１１】
また、上記電源遮断装置においては、遮断装置本体５０１に対してサービスプラグ５０２を取り付けるに際し、上ケーシング５０４に形成された円形孔部５１６、５１６にルーバ端子５１７、５１７をそれぞれ挿入させて嵌着させる必要があるため、このサービスプラグ５０２の取り付け作業が容易でない。特に、作業者にとって取付け部分が見難い箇所に電源遮断装置が取り付けられるような場合はより一層、上記サービスプラグ５０２の遮断装置本体５０１に対する取り付け作業が困難になる。
【００１２】
そこで本発明は、上述の課題を解決するために提案されたものであり、嵌合検知性の向上が図れると共に、部品点数が少なく、小型で小スペース化が図れ低コスト化を実現した電源遮断装置を提供することにある。
【００１３】
【課題を解決するための手段】
上述の課題を解決するために、本発明の電源遮断装置は、一方のブスバーと他方のブスバーとをそれぞれ装着させるブスバー装着部と、一方のヒューズ端子部に一方のブスバーの端子部が接続され且つ他方のヒューズ端子部に中間ブスバーの一側縁側の端子部が接続されたヒューズを装着させるヒューズ装着部と、他方のブスバーの端子部と中間ブスバーの他側縁側の端子部とを絶縁壁を挟んでその両側に配置した端子保持部材をその内部に有し且つこの端子保持部材の外周囲を取り囲む隔壁で形成されたプラグ装着部と、ヒューズを介して一方のブスバーと他方のブスバーとが導通される導通状態又は導通されない非導通状態とを検出する導通検出手段を装着させる導通検出手段装着部とを有した装置本体と、前記プラグ装着部に着脱自在に装着され、前記端子保持部材を跨ぐように装着されて前記他方のブスバーの端子部に接触し且つ前記中間ブスバーの他側縁側の端子部に接触して前記一方のブスバーと前記他方のブスバーとを導通させる端子部材を有したプラグハウジングと、このプラグハウジングに対してほぼ垂直状態とぼぼ水平状態とに傾倒自在に設けられた傾倒レバーとからなるサービスプラグとを備えており、前記サービスプラグの傾倒レバーをほぼ垂直に保った状態で前記プラグ装着部に前記プラグハウジングを装着させて前記傾倒レバーをほぼ水平に倒したときに、前記傾倒レバーに設けられた突起が前記導通検出手段の可動レバーを倒して前記一方のブスバーと前記他方のブスバーとの導通状態を前記導通検出手段に検知させるように構成してある。
【００１４】
このように、サービスプラグを装置本体に装着させるプラグ装着部内に、他方のブスバーの端子部と中間ブスバーの他側縁側の端子部とを絶縁壁を挟んでその両側に配置した端子保持部材を設け、この端子保持部材を跨ぐように装着されて他方のブスバーの端子部と中間ブスバーの他側縁側の端子部にそれぞれ接触して一方のブスバーと他方のブスバーを導通させる端子部材を有したプラグハウジングを、上記プラグ装着部に装着することで、端子保持部材がガイドとなって作業し難い所に電源遮断装置が設けられた場合でも、簡単にサービスプラグの取り付けが作業が行える。
【００１５】
また、このプラグハウジングに傾倒レバーを傾倒自在に設けてあるため、サービスプラグのプラグ装着部への装着時及び取出し時に、この傾倒レバーを持つことで、プラグ装着作業が容易に行える。
【００１６】
また、サービスプラグの傾倒レバーをほぼ垂直に保った状態でプラグ装着部にプラグハウジングを装着させて傾倒レバーをほぼ水平に倒したときに、傾倒レバーに設けられた突起が導通検出手段の可動レバーを倒して一方のブスバーと他方のブスバーとの導通状態を導通検出手段に検知させるように構成してあるため、プラグハウジングがプラグ装着部に嵌合されて一方のブスバーと他方のブスバーとが導通された導通状態となっても、この傾倒レバーを水平に倒して可動レバーを倒さない限り導通状態が前記導通検出手段に検出されない。このため、一方のブスバーと他方のブスバーが導通された後、意識的に作業者が時間を置いて前記導通検出手段に導通状態を検出させることができ、残存電流による影響を回避することができる。
【００１７】
また、本発明の電源遮断装置においては、端子保持部材に端子部材を装着させる拾い用斜面を形成してある。
【００１８】
このように、端子保持部材に拾い用斜面を形成してあるため、プラグハウジングに設けた端子部材が上記端子保持部材に案内されてスムーズに装着されることになり、サービスプラグのプラグ装着部への装着作業が容易になる。
【００１９】
また、本発明の電源遮断装置においては、プラグハウジングが端子保持部材の先端面に接触しない不完全装着状態で傾倒レバーを水平方向に倒したときに、傾倒レバーが前記プラグ装着部の隔壁内面に当接して前記傾倒レバーの水平方向への傾倒を防止する突起を前記プラグハウジングに設けている。
【００２０】
このように、サービスプラグが不完全装着状態のときに傾倒レバーが水平方向に倒れないようにしているため、サービスプラグのプラグ装着部に対する装着状態が瞬時にして判り、サービスプラグの不完全装着を回避することができる。
【００２１】
また、本発明の電源遮断装置においては、ヒューズ及び導通検出手段を覆って装置本体に絶縁カバーを設け、この絶縁カバーをプラグハウジングに設けたカバー押さえ部によって押さえるように構成してある。
【００２２】
このため、サービスプラグをプラグ装着部から取り外さない限り、絶縁カバーが取り外せないことから、安全性が確保される。
【００２３】
また、本発明の電源遮断装置においては、導通検出手段としてマイクロスイッチを使用する。
【００２４】
マイクロスイッチは、小型且つ低コストであるため、取付けスペースが少なくて済み、電源遮断装置の小型化並びに低コスト化に寄与する。
【００２５】
【発明の実施の形態】
以下、本発明を適用した具体的な一実施形態について図面を参照しながら詳細に説明する。
【００２６】
本実施形態は、電気自動車の電源（バッテリー等）と負荷（モーター等）との間の導通及び非導通を切り換える電源遮断装置に本発明を適用したものであり、嵌合検知性の向上、部品点数の低減、小型化、省スペース化並びに低コスト化を実現したものである。
【００２７】
＜電源遮断装置の構造＞
先ず、本実施形態の電源遮断装置の構造について説明する。電源遮断装置は、図１に示すように、装置本体１と、この装置本体１に着脱自在に取り付けられるサービスプラグ２とを主たる構成としており、このサービスプラグ２を装置本体１に装着させて電源と負荷とを導通状態とし、サービスプラグ２を外してこれら電源と負荷とを非導通状態とする、いわゆるブレーカー装置である。
【００２８】
『装置本体の構成』
初めに、装置本体１の構成について、図２ないし図８を参照して説明する。装置本体１は、一方のブスバーである負荷に接続される負荷側ブスバー３と他方のブスバーである電源に接続される電源側ブスバー４とをそれぞれ装着させるブスバー装着部５、６と、一方のヒューズ端子部７ａに負荷側ブスバー３の端子部３ａが接続され且つ他方のヒューズ端子部７ｂに中間ブスバー８の一側縁側の端子部８ａが接続されたヒューズ７を装着させるヒューズ装着部１０と、電源側ブスバー４の端子部４ａと中間ブスバー８の他側縁側の端子部８ｂとを絶縁壁１１を挟んでその両側に配置した端子保持部材１２をその内部に有し且つこの端子保持部材１２の外周囲を取り囲む隔壁１３で形成されたプラグ装着部１４と、ヒューズ７を介して負荷側ブスバー３と電源側ブスバー４とが導通される導通状態又は導通されない非導通状態とを検出する導通検出手段であるマイクロスイッチ１５を装着させる導通検出手段装着部１６とを有している。
【００２９】
「ブスバー装着部の構成」
ブスバー装着部５、６は、図２、図４及び図６に示すように、数ヶ所に装置本体取付用孔５１、５１、５１を有した平板状をなす基台１７の裏面側に突出して形成されている。負荷側ブスバー３を装着するブスバー装着部５は、図４に示すように、基台１７の長手方向における左側端縁部寄りに設けられ、電源側ブスバー４を装着するブスバー装着部６は、同図に示すように、右側端縁部寄りに設けられている。
【００３０】
これらブスバー装着部５、６は、負荷側ブスバー３と電源側ブスバー４それぞれをその内部に収容する空隙部を有した隔壁として形成され、その空隙部に負荷側ブスバー３と電源側ブスバー４を装着保持するようになっている。そして、これら負荷側ブスバー３と電源側ブスバー４は、基台１７の下方からそれぞれのブスバー装着部５、６に挿入され、外部に露出することなく隔壁によって覆われる。
【００３１】
ブスバー装着部５に装着された負荷側ブスバー３の端子部３ａは、図６に示すように、基台１７に形成された端子貫通用孔１８を介してその基台表面側に臨むようにされている。一方の電源側ブスバー４の端子部４ａも同様に、基台１７に形成された端子貫通用孔１９を介してその基台表面側に臨むようにされている。
【００３２】
なお、負荷側ブスバー３には、モータ等の負荷と接続される電線２０が加締めされて接続されており、電源側ブスバー４には、バッテリー等の電源と接続される電線２１が加締めされて接続されている。
【００３３】
「ヒューズ装着部の構成」
ヒューズ装着部１０は、図５ないし図７に示すように、ブスバー装着部５、６とは反対側における基台１７の表面側に立ち上がり形成された立設壁２２の一側面に形成されている。かかるヒューズ装着部１０は、ヒューズ本体７ｃを嵌合させて装着させる本体装着凹部２３と、ヒューズ本体７ｃの両端に設けられるヒューズ端子部７ａ、７ｂをそれぞれ取り付けるヒューズ端子部取付部２４、２５とからなる。
【００３４】
本体装着凹部２３は、図７に示すように、ヒューズ本体部７ｃを嵌合装着させる凹部として形成されており、ヒューズ７を装着させて位置決めするようになっている。ヒューズ端子部取付部２４、２５は、本体装着凹部２３の両側に突出する台座として形成されており、ヒューズ端子部７ａ、７ｂを該ヒューズ端子部取付部２４、２５にヒューズ取付ボルト２６、２６によってねじ止めするためのナット２７、２７をインサート成形によって埋設してある。
【００３５】
「ヒューズの構成」
上記ヒューズ装着部１０に装着されるヒューズ７は、図６及び図７に示すように、円柱体をなすヒューズ本体７ｃと、このヒューズ本体７ｃの両端に設けられた板状をなす一対のヒューズ端子部７ａ、７ｂとを有している。かかるヒューズ７は、ヒューズ本体７ｃを上記本体装着凹部２３に嵌合させると共に、ヒューズ端子部７ａ、７ｂをそれぞれのヒューズ端子部取付部２４、２５に装着させ、且つこのヒューズ端子部７ａ、７ｂに形成されたネジ止め固定用孔（図示は省略する）を介してヒューズ取付ボルト２６、２６をそれぞれのナット２７、２７に螺合させることで、上記ヒューズ装着部１０に装着されている。
【００３６】
また、一方のヒューズ端子部取付部２４には、負荷側ブスバー３の端子部３ａが、上記ヒューズ端子部７ａと共に上記ヒューズ取付ボルト２６によって固定されている。これにより、負荷側ブスバー３とヒューズ７とが電気的に接続されるようになされている。また、他方のヒューズ端子部取付部２５には、中間ブスバー８の一側縁側の端子部８ａが、上記ヒューズ端子部７ｂと共に上記ヒューズ取付ボルト２６によって固定されている。これによって、中間ブスバー８とヒューズ７とが電気的に接続された状態にある。
【００３７】
なお、中間ブスバー８は、図６及び図７に示すように、一方のヒューズ端子部７ｂと接続される端子部８ａと、後述する絶縁壁１１の一方の側壁に配置される端子部８ｂとを有した一枚板からなる導体板として形成されている。
【００３８】
「プラグ装着部の構成」
プラグ装着部１４は、図３、図６及び図７に示すように、後述するサービスプラグ２を着脱自在とする装着部分であり、サービスプラグ２をその内部に収容させるに足る空間部を形成するように形成された隔壁１３からなる。この隔壁１３は、基台１７の表面側に立設されており、その内部にサービスプラグ２を収容する。また、このプラグ装着部１４には、後述する傾倒レバー４１をほぼ垂直に保った状態でしかも所定向きでないとサービスプラグ２を装着できないようにするための位置合わせ用凹部９ａ、９ｂがそれぞれ設けられている。
【００３９】
上記プラグ装着部１４のほぼ中央には、図３及び図８に示すように、電源側ブスバー４の端子部４ａと中間ブスバー８の他側縁側の端子部８ｂとを絶縁壁１１を挟んでその両側に配置した端子保持部材１２が立設されている。かかる端子保持部材１２は、絶縁壁１１の両側に配設された電源側ブスバー４の端子部４ａと中間ブスバー８の端子部８ｂとを電気的に絶縁する機能とこれらを保持する機能を持つ。
【００４０】
そして、この端子保持部材１２の先端部には、図３及び図５に示すように、後述するサービスプラグ２に設けられる端子部材３９をスムーズに装着させる機能をする拾い用斜面２８、２８が形成されている。拾い用斜面２８、２８は、それぞれ斜め下方に傾斜した斜面とされ、上記端子部材３９の上記端子保持部材１２への挿入を容易なものとなす。
【００４１】
また、上記プラグ装着部１４には、図３及び図８に示すように、後述するサービスプラグ２のプラグハウジング４０の両側面４０ａ、４０ｂに接触してこのプラグハウジング４０の装着状態を安定させるガイド部材２９、２９が設けられている。これらガイド部材２９、２９は、プラグ装着部１４の底面１４ａに立上がり形成される立設壁として形成されており、上記端子保持部材１２を挟んでその両側に設けられている。
【００４２】
「導通検出手段装着部の構成」
導通検出手段装着部１６は、図２、図５及び図７に示すように、中間ブスバー８の端子部８ａが取り付けられる上記ヒューズ端子部取付部２５とは反対側の上記立設壁２２の他側面に設けられている。かかる導通検出手段装着部１６は、上記ヒューズ端子部取付部２５とは反対側に突出して形成され、その側壁部に上記マイクロスイッチ１５を固定するようになしている。
【００４３】
マイクロスイッチ１５は、ヒューズ７を介して負荷側ブスバー３と電源側ブスバー４とが導通される導通状態又は導通されない非導通状態とを検出する役目をするもので、図２に示すように、導通検出手段装着部１６の側壁部に突設されたスイッチ位置決め軸部３０に挿通され位置決めされて、スイッチ取付ねじ３１により上記導通検出手段装着部１６に取り付けられている。そして、上記マイクロスイッチ１５の可動レバー３２は、上記プラグ装着部１４内に臨んで設けられ、後述のサービスプラグ２の傾倒レバー４１に設けられる軸部４９によって倒されて接触子３３をスイッチ本体内に押し込むことで、マイクロスイッチ１５のオン・オフを行う。なお、上記マイクロスイッチ１５には、導通検出用コネクタ３４に接続される電線３５が接続されている。
【００４４】
「絶縁カバーの構成」
そして、上記装置本体１には、図２及び図３に示すように、ヒューズ７及びマイクロスイッチ１５をその内部に収容する絶縁カバー３６が装着されている。かかる絶縁カバー３６は、下方部分及びマイクロスイッチ１５と電線３５との接続部分を開口した箱体形状をなすカバーで、上記立設壁２２に形成された位置決め突起３７、３８に係合されて基台１７上に取り付けられている。この絶縁カバー３６によって、ヒューズ７とマイクロスイッチ１５が覆われ、不用意な外力に対して損傷等が免れるようになされている。
【００４５】
『サービスプラグの構成』
次に、サービスプラグ２について、図９及び図１０を参照して説明する。サービスプラグ２は、プラグ装着部１４に着脱自在に装着され、上記端子保持部材１２を跨ぐように装着されて電源側ブスバー４の端子部４ａに接触し且つ中間ブスバー８の他側縁側の端子部８ｂに接触して負荷側ブスバー３と電源側ブスバー４を導通させる端子部材３９を有したプラグハウジング４０と、このプラグハウジング４０に対してほぼ垂直状態とぼぼ水平状態とに傾倒自在に設けられた傾倒レバー４１とからなる。
【００４６】
「プラグハウジングの構成」
プラグハウジング４０は、図９及び図１０に示すように、プラグ装着部１４の一対のガイド部材２９、２９の間に嵌入し得る大きさのほぼ矩形状をなす絶縁ブロックとして形成され、その両側壁４０ａ、４０ｂに傾倒レバー４１を傾動自在に取り付けるための回動軸４２、４２を有している。
【００４７】
また、この両側壁４０ａ、４０ｂには、傾倒レバー４１が図９（ａ）の二点鎖線に示すほぼ水平状態へ倒れる方向とは反対向きに倒れないように防止するための傾倒レバー倒込み防止突起４３、４３がそれぞれ設けられている。これら傾倒レバー倒込み防止突起４３、４３は、傾倒レバー４１が図９（ａ）の実線で示すほぼ垂直状態とされたときには、この傾倒レバー４１が軸支される基端部近傍部に接触して該傾倒レバー４１の正規方向とは反対方向への倒れ込みを防止すると共に、傾倒レバー４１がほぼ水平状態とされたときには、傾倒レバー４１と当接して該傾倒レバー４１の水平状態に保つように機能する。
【００４８】
また、上記両側壁４０ａ、４０ｂには、図９に示すように、上記傾倒レバー倒込み防止突起４３、４３とほぼ同一高さ位置に、傾倒レバー４１をほぼ垂直状態から水平状態に倒していったときに、該傾倒レバー４１を撓ませて節度感（クリック感）を持たすプラグ不完全装着防止用突起部４４、４４が設けられている。かかるプラグ不完全装着防止用突起部４４、４４は、例えば四角柱形状をなす突起として形成されており、傾倒レバー４１を垂直状態から水平状態へと傾倒させて行く途中段階で、図１１（ｂ）に示す傾倒レバー４１の両アーム部４５、４５の基端部に形成された係合突起４６、４６に係合するようになされている。
【００４９】
上記プラグ不完全装着防止用突起部４４、４４は、上記傾倒レバー４１に節度感を持たせる他、プラグハウジング４０が端子保持部材１２の先端面１２ａに接触しない不完全装着状態で傾倒レバー４１を水平方向に倒したときに、図１１（ａ）に示すように、傾倒レバー４１の係合突起４６、４６がこのプラグ不完全装着防止用突起部４４、４４を乗り越えることにより当該アーム部４５、４５が外側（同図中矢印方向）にそれぞれ撓み、上記傾倒レバー４１の軸部４８、４９がプラグ装着部１４の隔壁内面１３ａに当接して当該傾倒レバー４１の水平方向への傾倒を防止する機能をする。つまり、このプラグ不完全装着防止用突起部４４、４４は、サービスプラグ２のプラグ装着部１４に対する不完全装着を確実に防止する機能を持つ。
【００５０】
また、上記プラグハウジング４０には、図９に示すように、プラグ装着部１４にサービスプラグ２が装着されたときに、上記した絶縁カバー３６を上から押さえ付ける機能をするカバー押さえ部５０が突設されている。かかるカバー押さえ部５０は、傾倒レバー４１の傾動方向とは反対側のプラグハウジング４０の上端縁部に設けられている。
【００５１】
そして、上記プラグハウジング４０の両側壁４０ａ、４０ｂで囲まれる空間部には、図９及び図１０に示すように、上記端子保持部材１２を跨ぐように装着されて電源側ブスバー４の端子部４ａと接触し且つ中間ブスバー８の他側縁側の端子部８ｂと接触して負荷側ブスバー３と電源側ブスバー４を導通させる端子部材３９が設けられている。かかる端子部材３９は、電源側ブスバー４の端子部４ａと接触する接触端子部３９ａと、中間ブスバー８の端子部８ｂに接触する接触端子部３９ｂと、これらを連結する連結部３９ｃとを有した略逆Ｕ字状をなすバネ板部材からなり、該連結部３９ｃを端子保持部５１に保持させることにより当該プラグハウジング４０に取り付けられている。
【００５２】
上記両接触端子部３９ａ、３９ｂは、その先端側が互いに近づく方向に向けて形成されており、これらの間に端子保持部材１２を付勢力を持って把持し得る程度の対向間距離とされている。このため、端子保持部材１２における絶縁壁１１の両側に設けられた電源側ブスバー４の端子部４ａ及び中間ブスバー８の端子部８ｂが、上記両接触端子部３９ａ、３９ｂによって押圧された状態で把持されることになり、これらの間の接続が確実なものとなる。なお、両接触端子部３９ａ、３９ｂの先端は、上記端子保持部材１２に嵌合装着し易くするために、外側に折曲げられている。
【００５３】
「傾倒レバーの構成」
傾倒レバー４１は、図９及び図１０に示すように、一対のアーム部４５、４５と、このアーム部４５、４５を連結するレバー操作部４７とを有した略逆Ｕ字状をなすレバーとして形成されている。そして、この傾倒レバー４１は、それぞれのアーム部４５、４５に形成された円形孔部を、上記プラグハウジング４０の回動軸４２、４２に挿通させることで、該回動軸４２、４２を中心として傾動自在とされている。
【００５４】
そして、上記各アーム部４５、４５の基端部には、外方に突出する軸部４８、４９が形成されている。これら軸部４８、４９は、上記プラグ装着部１４に形成されたそれぞれの位置合わせ用凹部９ａ、９ｂに臨み、サービスプラグ２のプラグ装着部１４に対する装着方向が誤らないようにその突出長さを異なったものとしている。
【００５５】
例えば、電源側ブスバー４の端子部４ａと接続される接触端子部３９ａ側の軸部４８の方を、他方の軸部４９に対してその突出長さを短くしている。また、これら軸部４８、４９の長さは、図１３（ａ）に示すように、傾倒レバー４１をほぼ垂直状態に立てた状態でプラグ装着部１４にプラグハウジング４０を装着させて行ったときに、該プラグ装着部１４を構成する隔壁内面１３ａとそれぞれの軸部４８、４９との間に隙間ができるような長さとされている。
【００５６】
＜電源遮断装置の動作説明＞
次に、上記のように構成された電源遮断装置による負荷と電源間の接続及び遮断方法について図１２及び図１４を参照して説明する。
【００５７】
「サービスプラグの装着動作」
先ず、サービスプラグ２を装置本体１のプラグ装着部１４に装着させて負荷側ブスバー３と電源側ブスバー４とを導通させる手順（負荷と電源間の導通手順）から説明する。図１に示すように、傾倒レバー４１をほぼ垂直状態に保った状態で、サービスプラグ２の向きを正規の向きとしてプラグ装着部１４に挿入させる。
【００５８】
サービスプラグ２が正規の向きでないときは、軸部４８、４９がプラグ装着部１４に形成された位置合わせ用凹部９ａと一致せず、軸長の長い方の軸部４９がプラグ装着部１４の隔壁１３に接触して、プラグ装着部１４へのサービスプラグ２の装着が不可能となる。
【００５９】
サービスプラグ２が正規の向きとしてプラグ装着部１４に装着されると、プラグハウジング４０は、図１３（ａ）に示すように、上記プラグ装着部１４に設けられた端子保持部材１２の先端に形成された拾い用斜面２８、２８に、該プラグハウジング４０の端子部材３９が案内されて、この端子保持部材１２をガイドとして挿入係合されて行く。また、サービスプラグ２は、端子保持部材１２を挟んでその両側に設けられたガイド部材２９、２９に、プラグハウジング４０の両側壁４０ａ、４０ｂがガイドされる。
【００６０】
さらに、サービスプラグ２をプラグ装着部１４の底部へと押し込んで行くと、端子保持部材１２及びガイド部材２９、２９に案内されながらプラグハウジング４０が装着されて行き、最終的に図１３（ｃ）に示すように、該プラグハウジング４０の端子保持部５１が端子保持部材１２の先端面１２ａに突き当たる。これにより、中間ブスバー８の端子部８ｂと電源側ブスバー４の端子部４ａとが端子部材３９と接触して、負荷側ブスバー３が直列配置されるヒューズ７を介して電源側ブスバー４と導通され、その結果として電源と負荷とが導通する。
【００６１】
この状態では、図１２に示すように、傾倒レバー４１が起立した垂直状態とされると共に、その傾倒レバー４１にマイクロスイッチ１５の可動レバー３２の先端部が接触するが、当該マイクロスイッチ１５は未だオフの状態にある。
【００６２】
次に、サービスプラグ２をプラグ装着部１４に完全に装着させた状態から、図１２に示すように、傾倒レバー４１を矢印Ａ方向に倒し込んで行く。すると、傾倒レバー４１のアーム部４５、４５にそれぞれ設けた係合突起４６、４６が上記プラグハウジング４０のプラグ不完全装着防止用突起部４４、４４に係合する。これにより、傾倒レバー４１を倒したことが作業者に節度感として伝わる。このとき、図１３（ｂ）に示すように、サービスプラグ２が不完全な装着状態（端子保持部５１が端子保持部材１２の先端面１２ａと接触しない状態）にある場合は、上述したように、アーム部４５、４５に設けられた軸部４８、４９の先端がプラグ装着部１４を構成する隔壁内面１３ａに接触してそれ以上傾倒レバー４１が倒れないようになる。
【００６３】
そして、傾倒レバー４１をさらに倒して行くと、軸長の長い方の軸部４９によって可動レバー３２がマイクロスイッチ本体側へと倒されて行き、最終的に傾倒レバー４１が図１４に示すようにほぼ水平状態とされたときに、上記可動レバー３２が上記接触子３３を押す。これにより、サービスプラグ２がプラグ装着部１４に正規の状態で装着されたこと及び負荷側ブスバー３と電源側ブスバー４とが導通されたことがマイクロスイッチ１５によって検出される。
【００６４】
「サービスプラグの離脱動作」
次に、サービスプラグ２を装置本体１のプラグ装着部１４から引き抜いて負荷側ブスバー３と電源側ブスバー４とを非導通状態とする手順（負荷と電源間の非導通手順）を説明する。この手順は、先の導通手順とは逆の手順で行う。すなわち、図１４に示すほぼ水平状態にあるサービスプラグ２の傾倒レバー４１を把持して、この傾倒レバー４１を垂直方向に起こす。その過程で、一方の軸部４９によってマイクロスイッチ本体側に倒されていた可動レバー３２が接触子３３から離れてプラグ装着前待機位置に復帰し、マイクロスイッチ１５のオン信号がオフ信号に代わる。
【００６５】
そして、垂直状態まで引き起こした傾倒レバー４１を把持して上方に持ち上げ、プラグハウジング４０をプラグ装着部１４から引き抜く。すると、プラグハウジング４０に設けられた端子部材３９と中間ブスバー８の端子部８ｂ及び電源側ブスバー４の端子部４ａとの接触が解除され、負荷側ブスバー３と電源側ブスバー４とが非導通状態となり、電源と負荷との導通が遮断される。
【００６６】
このように、本実施形態では、サービスプラグ２を装置本体１に装着させるプラグ装着部１４内に、電源側ブスバー４の端子部４ａと中間ブスバー８の他側縁側の端子部８ｂとを絶縁壁１１を挟んでその両側に配置した端子保持部材１２を設け、この端子保持部材１２を跨ぐように装着されて電源側ブスバー４の端子部４ａと中間ブスバー８の他側縁側の端子部８ｂにそれぞれ接触して負荷側ブスバー３と電源側ブスバー４を導通させる端子部材３９を有したプラグハウジング４０を、上記プラグ装着部１４に装着することで、端子保持部材１２がガイドとなって作業し難い所に電源遮断装置が設けられた場合でも、簡単にサービスプラグの取り付けが作業が行える。
【００６７】
また、本実施形態では、プラグハウジング４０に傾倒レバー４１を傾倒自在に設けてあるため、サービスプラグ２のプラグ装着部１４への装着時及び取出し時に、この傾倒レバー４１を持つことで、プラグ装着作業を容易に行うことができる。
【００６８】
また、本実施形態では、サービスプラグ２の傾倒レバー４１をほぼ垂直に保った状態でプラグ装着部１４にプラグハウジング４０を装着させて傾倒レバー４１をほぼ水平に倒したときに、傾倒レバー４１に設けられた軸部４９がマイクロスイッチ１５の可動レバー３２を倒して負荷側ブスバー３と電源側ブスバー４との導通状態を前記マイクロスイッチ１５に検知させるように構成してあるため、プラグハウジング４０がプラグ装着部１４に嵌合されて負荷側ブスバー３と電源側ブスバー４とが導通された導通状態となっても、この傾倒レバー４１を水平に倒し可動レバー３２を倒さない限り導通状態が前記マイクロスイッチ１５に検出されない。このため、負荷側ブスバー３と電源側ブスバー４が導通された後、意識的に作業者が時間を置いて前記マイクロスイッチ１５に導通状態を検出させることができ、残存電流による影響を回避することができる。
【００６９】
また、本実施形態では、端子保持部材１２に拾い用斜面２８、２８を形成してあるため、プラグハウジング４０に設けた端子部材３９が上記端子保持部材１２に案内されてスムーズに装着されることになり、サービスプラグ２のプラグ装着部１４への装着作業を容易なものとすることができる。
【００７０】
また、本実施形態では、サービスプラグ２が不完全装着状態のときに傾倒レバー４１が水平方向に倒れないようにしているため、サービスプラグ２のプラグ装着部１４に対する装着状態が瞬時にして判り、サービスプラグ２の不完全装着を回避することができる。
【００７１】
また、本実施形態では、ヒューズ７及びマイクロスイッチ１５を覆って装置本体１に絶縁カバー３６を設け、この絶縁カバー３６をプラグハウジング４０に設けたカバー押さえ部５０によって押さえるように構成してあるため、サービスプラグ２をプラグ装着部１４から取り外さない限り、絶縁カバー３６が取り外せないことから、安全性を確保することができる。
【００７２】
また、本実施形態では、導通検出手段としてマイクロスイッチ１５を使用しているため、取付けスペースが少なくて済み、電源遮断装置の小型化並びに低コスト化が図れる。
【００７３】
以上、本発明を適用した具体的な実施形態について説明したが、本発明は上述した実施形態に制限されることなく種々の変更が可能である。
【００７４】
例えば、上述の実施形態では、一方のヒューズ端子部７ａに接続されるブスバーを負荷側ブスバー３とし、絶縁壁１１を挟んで中間ブスバー８の他側縁側の端子部８ｂと対向して設けられるブスバーを電源側ブスバー４としたが、これらは逆でもよい。すなわち、一方のヒューズ端子部７ａに接続されるブスバーを電源側ブスバー４とし、絶縁壁１１を挟んで中間ブスバー８の他側縁側の端子部８ｂと対向して設けられるブスバーを負荷側ブスバー３としてもよい。
【００７５】
この他、ブスバー装着部５、６、ヒューズ装着部１０、基台１７等の形状は特に制限されるものではない。
【００７６】
【発明の効果】
本発明は、以上説明したような形態で実施され、以下に記載されるような効果を奏する。
【００７７】
本発明に係る電源遮断装置によれば、サービスプラグを装置本体に装着させるプラグ装着部内に、他方のブスバーの端子部と中間ブスバーの他側縁側の端子部とを絶縁壁を挟んでその両側に配置した端子保持部材を設け、この端子保持部材を跨ぐように装着されて他方のブスバーの端子部と中間ブスバーの他側縁側の端子部にそれぞれ接触して一方のブスバーと他方のブスバーを導通させる端子部材を有したプラグハウジングを、上記プラグ装着部に装着しているので、この端子保持部材がガイドとなって作業し難い所に電源遮断装置が設けられた場合でも、簡単にサービスプラグの取り付け作業を行うことができる。
【００７８】
また、本発明に係る電源遮断装置によれば、プラグハウジングに傾倒レバーを傾倒自在に設けてあるため、サービスプラグのプラグ装着部への装着時及び取出し時に、この傾倒レバーを持つことで、プラグ装着作業を容易に行うことができ、作業メンテナンス性を向上させることができる。
【００７９】
また、本発明に係る電源遮断装置によれば、サービスプラグの傾倒レバーをほぼ垂直に保った状態でプラグ装着部にプラグハウジングを装着させて傾倒レバーをほぼ水平に倒したときに、傾倒レバーに設けられた突起が導通検出手段の可動レバーを倒して一方のブスバーと他方のブスバーとの導通状態を前記導通検出手段に検知させるように構成してあるため、プラグハウジングがプラグ装着部に嵌合されて一方のブスバーと他方のブスバーとが導通された導通状態となっても、この傾倒レバーを水平に倒し可動レバーを倒さない限り導通状態が前記導通検出手段に検出されない。このため、一方のブスバーと他方のブスバーが導通された後、意識的に作業者が時間を置いて前記導通検出手段に導通状態を検出させることができ、残存電流による影響を回避することができる。
【００８０】
また、本発明に係る電源遮断装置によれば、端子保持部材に端子部材を装着させる拾い用斜面を形成してあるため、プラグハウジングに設けた端子部材が上記端子保持部材に案内されてスムーズに装着されることになり、サービスプラグのプラグ装着部への装着作業を容易に行うことができる。
【００８１】
また、本発明に係る電源遮断装置によれば、プラグハウジングが端子保持部材の先端面に接触しない不完全装着状態で傾倒レバーを水平方向に倒したときに、傾倒レバーがプラグ装着部の隔壁内面に当接して前記傾倒レバーの水平方向への傾倒を防止する突起を前記プラグハウジングに設けているため、サービスプラグのプラグ装着部に対する装着状態が瞬時にして判り、サービスプラグの不完全装着を回避することができる。
【００８２】
また、本発明に係る電源遮断装置によれば、ヒューズ及び導通検出手段を覆って装置本体に絶縁カバーを設け、この絶縁カバーをプラグハウジングに設けたカバー押さえ部によって押さえるように構成してあるため、サービスプラグをプラグ装着部から取り外さない限り、絶縁カバーが取り外せないことから、安全性を確保することができる。
【００８３】
また、本発明に係る電源遮断装置によれば、導通検出手段としてマイクロスイッチを使用しているため、電源遮断装置の小型化並びに低コスト化が図れる。従って、サービスプラグの構成部品が少なくて済むため、小型化並びに低コスト化が実現できる。
【図面の簡単な説明】
【図１】本実施形態の電源遮断装置を示すもので、装置本体にサービスプラグを取り付ける前の状態を示す正面図である。
【図２】本実施形態の電源遮断装置の装置本体を示す正面図である。
【図３】本実施形態の電源遮断装置の装置本体を示す平面図である。
【図４】本実施形態の電源遮断装置の装置本体を示す底面図である。
【図５】本実施形態の電源遮断装置の装置本体を示すもので、（ａ）は図２の左側面図であり、（ｂ）は図２の右側面図である。
【図６】図３に示す装置本体のＡ−Ａ線断面図である。
【図７】図３に示す装置本体の絶縁カバーを取り外した状態を示す平面図である。
【図８】図３に示す装置本体のＢ−Ｂ線断面図である。
【図９】本実施形態の電源遮断装置のサービスプラグを示すもので、（ａ）は正面図であり、（ｂ）は側面図である。
【図１０】本実施形態の電源遮断装置のサービスプラグを示すもので、（ａ）は平面図であり、（ｂ）は図９（ａ）のＣ−Ｃ線断面図である。
【図１１】本実施形態の電源遮断装置のサービスプラグを示すもので、（ａ）はプラグ不完全装着防止用突起部にアーム部の係合突起が係合した状態を示す正面図であり、（ｂ）はサービスプラグの底面図である。
【図１２】装置本体にサービスプラグを装着させて傾倒レバーを倒す前の状態を示す電源遮断装置の正面図である。
【図１３】サービスプラグをプラグ装着部に装着させる途中の状態を示すもので、（ａ）は傾倒レバーの軸部先端と隔壁との間に隙間がある状態を示す断面図であり、（ｂ）は不完全装着状態のときに傾倒レバーを倒して軸部先端が隔壁に接触した状態を示す断面図である。
【図１４】装置本体にサービスプラグを装着させて傾倒レバーを水平に倒した状態を示す電源遮断装置の正面図である。
【図１５】従来の電源遮断装置の分解斜視図である。
【図１６】従来の電源遮断装置においてサービスプラグを装置本体に装着した状態を示す平面図である。
【符号の説明】
１  装置本体
２  サービスプラグ
３  負荷側ブスバー
４  電源側ブスバー
７  ヒューズ
８  中間ブスバー
１０  ヒューズ装着部
１１  絶縁壁
１２  端子保持部材
１３  隔壁
１４  プラグ装着部
１５  マイクロスイッチ
１６  導通検出手段装着部
２８  拾い用斜面
３２  可動レバー
３３  接触子
３６  絶縁カバー
３９  端子部材
４０  プラグハウジング
４１  傾倒レバー
４４  プラグ不完全装着防止用突起部
４８、４９  軸部
５０  カバー押さえ部
【図１】
0003612439.tif 000002
【図２】
0003612439.tif 000003
【図３】
0003612439.tif 000004
【図４】
0003612439.tif 000005
【図５】
0003612439.tif 000006
【図６】
0003612439.tif 000007
【図７】
0003612439.tif 000008
【図８】
0003612439.tif 000009
【図９】
0003612439.tif 000010
【図１０】
0003612439.tif 000011
【図１１】
0003612439.tif 000012
【図１２】
0003612439.tif 000013
【図１３】
0003612439.tif 000014
【図１４】
0003612439.tif 000015
【図１５】
0003612439.tif 000016
【図１６】
0003612439.tif 000017